(57)【要約】      （修正有）【課題】コンクリート面や塗装面の凸の角部の目粗し、塗膜剥離を効率よく行うことが可能なウォータージェットハンドブラストを提供する。【解決手段】角を構成する２面及び面取りされた斜めの面の３面に合わせた〔（亀甲括弧）形のプレートの各面にスイベル５を介してノズルを装着する。ウォータージェット３の噴射方向を斜めにすることによって、ノズルはジェットを噴射しながらその反力で回転し、被処理面にある幅を持ってジェットが当たる。プレートの隅には車輪２０を付け角に沿って移動可能とし、周囲にはブラシを付け被処理面１３との間の隙間をふさぎ、吸引ホース９を介してポンプで吸引することで作業排水の飛散を防ぐ。蝶番等を用いて〔（亀甲括弧）型のプレートを角度変更可能にし、目的の角度をもち穴の開いたプレートをネジ止めして角度を固定することにより、様々な角部で使用可能なハンドブラストとなる。【選択図】図３
0003173791.tif 000002
【実用新案登録請求の範囲】
【請求項１】
コンクリートや塗装面の角部の目粗し、塗膜剥離等の処理を行うウォータージェットハンドブラストであって、
処理される角部の３面（角を形成する２面及び面取りされた斜めの面）に合わせた〔（亀甲括弧）形のプレート持ち、
プレートの各面にスイベルを介して回転するノズルを装着し
前記プレートの４隅に車輪を装着し
プレートの周囲にはブラシを付けて被処理面との隙間をふさぎ、
さらにプレートに吸引ホースを付け、ポンプで作業排水を吸引する構造のウォータージェットハンドブラスト。
【請求項２】
前記の〔（亀甲括弧）形のプレートについて、
蝶番等を用いて３枚のプレートを角度変更可能な状態に結合した上で、
目的の角度を持ち穴の開いたプレート及びネジを用いて角度を固定する方式の請求項１に記載のウォータージェットハンドブラスト。
【考案の詳細な説明】
【技術分野】
【０００１】  この考案はウォータージェットを用いてコンクリート面の目粗し、塗装面の塗膜剥離等を行うためのハンドブラストに関するものである。
【背景技術】
【０００２】  特許文献１は重曹の粒子をブラスト材とし高圧水または高圧エアーを使って吹付けることにより、コンクリート・石材・金属板等の表面を研掃・洗浄・目粗し・塗膜剥離等を行う方法について述べている。【０００３】  特許文献２では水・剥離片を吸引しながらハンドブラストを用いて塗膜を剥離する装置について述べている。
【先行技術文献】
【特許文献】
【０００４】
【特許文献１】特許公開２０００−３４３４３４  「ブラスト工法」
【特許文献２】登録実用新案  第３１５８１９９号  「ウォータージェットによる塗装の剥離工法」
【考案の概要】
【考案が解決しようとする課題】
【０００５】  コンクリート面の目粗し、塗装面の塗膜剥離等の処理を行うには、ウォータージェットのハンドガン、ハンドブラストを用いる方法がある。
ハンドブラストは平面の処理を行うものが特許文献２にも提示されている。平面用のハンドブラストを図１ａ、ｂに示す。図１ａは被処理面（コンクリート面あるいは塗装面）から、図１ｂは側面から見たときの図である。
ノズルヘッド１は複数の噴射口２を持ち、斜めにウォータージェット３を噴射する。ノズルヘッド１はノズルヘッド回転用スイベル５に取り付けられ、ウォータージェットを噴射しながらその反力で回転する。ノズルヘッドを囲うように飛散防止カバー７が付き、さらに吸引ホースを付け吸引ポンプで吸引することによって作業排水（コンクリート片あるいは塗膜片を含んだウォータージェットの水）の飛散を防ぐ。
平面を処理している時は良いが、図２のように端（角）からはみ出すと広範囲に飛散する。飛散した作業排水を回収・清掃する作業は、手間のかかる作業である。
飛散防止カバー７がはみ出す直前で止めた場合は、角部に幅数ｃｍ程度の処理されない部分が残る。その部分はハンドガン等を使って処理するが、その際にも作業排水が広範囲に飛散し、回収・清掃に手間がかかる。
そこで作業排水を飛散させないで、角部の目粗しや塗膜剥離を行うことができるハンドブラストを提供する。
【課題を解決するための手段】
【０００６】  本考案では、被処理面（コンクリート面あるいは塗装面）の交わる角度が１８０°より小さな角部（凸の角）に用いるハンドブラストを提供する。【０００７】  本考案のハンドブラストを図３に示す。
角を構成する２面及び面取りされた斜めの面に合わせた〔（亀甲括弧）形のプレートのそれぞれ（中央プレート１４及びサイドプレート１５）にノズルヘッド回転用スイベル５を介してノズルヘッド１を付け、３つの面を同時に処理する。
ウォータージェット３は斜めに噴射され、ノズルヘッド１は噴射の反力によって回転する。回転によってウォータージェットはある幅を持って被処理面に当たる。【０００８】  中央プレート１４及びサイドプレート１５の周囲にブラシ８を付けて被処理面１３との間の隙間をふさぎ、吸引ホース９を介して吸引ポンプで作業排水を吸引することによって飛散を防止する。【０００９】  処理される角部に合わせてプレートの角度を変更できるようにする。その方法を図４に示す。
中央プレート１４及びサイドプレート１５を蝶番２１で結合し、角度固定用プレート２２を用いて固定する。角度固定用プレートは０°、３０°、４５°、６０°、９０°等の角度を用意する。
中央プレート１４とサイドプレート１５の隙間はゴム２３を挟み、そこからの漏れ・飛散を防ぐ。
サイドプレートに付けられたノズル１への高圧水の配管はスイベルジョイント１８を組み合わせることにより、高圧水分岐ブロック１６とノズルヘッド回転用スイベル５間の距離の変化に対応する。
【考案の効果】
【００１０】  角部の面を同時に処理することができるため、ハンドガンに比べはるかに効率良く角部の目粗し・塗膜剥離の処理を行うことができる。【００１１】  水・コンクリート片あるいは塗膜片の飛散が無いため処理後の清掃が簡単に済み、作業全体の効率化につながる。
【図面の簡単な説明】
【００１２】
【図１】平面用ハンドブラスト
【図２】平面用ハンドブラストを角部に当てた場合の図
【図３】本考案の凸部角用ハンドブラスト
【図４】プレートの角度を変更する方法を示した図
【図５】面取りされていない角を処理する場合を示した図
【考案を実施するための形態】
【実施例】
【００１３】  本考案では、被処理面（コンクリート面あるいは塗装面）の交わる角度が１８０°より小さな場合（面の交わる角が凸の場合）に用いるハンドブラストを提供する。
コンクリート柱の側面のように面が９０°で交わっている場合、角が欠けないよう４５°に面取りされていることも多い。【００１４】  本考案のハンドブラストを図３に示す。
角を構成する２面及び面取りされた斜めの面と同じ角度を持った〔（亀甲括弧）形のプレートのそれぞれ（中央プレート１４及びサイドプレート１５）にノズルヘッド回転用スイベル５を介してノズルヘッド１を取り付け、角部の３面に同時にウォータージェットが当たるようにする。（図示されていないが奥側のサイドプレート１５にも手前側と同様にノズルヘッド回転用スイベル５、ノズルヘッド１が取り付けられている。）
各ノズルヘッド１からは斜めにウォータージェット３が噴射される。各ノズルヘッド１はノズルヘッド回転用スイベル５に装着されているため、ウォータージェット３を噴射しながらその反力で回転する。それによって被処理面にある幅を持ってウォータージェットを当てることができる。【００１５】  サイドプレート１５に車輪２０を付けることにより、ハンドブラストを角に沿って移動可能にする。【００１６】  中央プレート１４及びサイドプレート１５の周囲にブラシ８を付け、被処理面１３との間の隙間をふさぐ。さらに吸引ホース９を付け、吸引ポンプによって作業排水（コンクリート片あるいは塗膜片を含んだウォータージェットの水）を吸引する。（図１では省略されているが、奥側のサイドプレート１５も手前側と同様である。）【００１７】  図３に示されているように本考案では中央プレート１４のノズルヘッド１は上寄り、サイドプレート１５のノズルヘッド１は下寄りに付けられている。そのため角部の上端に来たときサイドプレート１５の中程から上は被処理面１３にウォータージェット３を当てることができない。同じく角部の下端では中央プレート１４の中程から下は被処理面１３にウォータージェット３を当てることができない。それらの部分を処理するためハンドブラストは上下逆向きにして使用することができる。その際高圧水ホース６は高圧水分岐ブロック１６の上側の取付口１７に付け替えることもできる。【００１８】  六角形、八角形の断面形状の柱があった場合等でも使えるよう、中央プレート１４，サイドプレート１５の角度を変更できる構造にする。図４にその方法を示す。
各プレート１４，１５は蝶番２１などを使って角度変更可能な状態に結合し、角度固定用プレート２２を用いて目的の角度に固定する。角度固定用プレート２２は被処理面に合わせて０°、３０°、４５°、６０°、９０°等のものを用意する。中央プレート１４とサイドプレート１５の隙間にはゴム２３等を付け、そこからの漏れ、飛散を防ぐ。
各ノズルへの高圧水の配管はそれぞれのノズルヘッド回転用スイベル５に高圧水ホース６をつなぐ方法もあるが、図４のようにスイベルジョイント１８を組み合わせて用いることにより、プレート１４，１５の角度変更に伴う高圧水分岐ブロック１６とノズル回転用スイベル５の間の距離の変化に対応することができる。【００１９】  中央プレート１４とサイドプレート１５において上端及び下端の縁は同一ではなく、ブラシ８の厚さ分の段差がついている。
同一にした場合、角度をつけた状態で長期間固定するとブラシの毛が外に曲がった状態に癖がつくことが考えられ、角度を広げた時にブラシの間に隙間ができるのを防ぐためである。【００２０】  図５は面取りされていない角部を処理する方法を示す。図５は９０°の場合の例である。一方のプレートを０°に、もう一方を角部と同じ角度に固定することによって、本考案のハンドブラストが使用可能となる。
【産業上の利用可能性】
【００２１】  角部の目粗し・塗膜剥離の作業をハンドガンで行う場合に比べて、短時間で効率良く行うことができるとともに、作業終了後の清掃等の手間も減らすことができ作業全体の効率化に大きく貢献する。したがって本考案のハンドブラストは広く利用される。
【符号の説明】
【００２２】  １…ノズルヘッド
２…噴射口
３…ウォータージェット
４…回転方向
５…スイベル（ノズルヘッド回転用）
６…高圧水ホース
７…飛散防止カバー
８…ブラシ
９…吸引ホース
１０…吸引方向
１１…ボールキャスター
１２…グリップ
１３…被処理面（コンクリート面、塗装面）
１４…中央プレート
１５…サイドプレート
１６…高圧水分岐ブロック
１７…高圧水ホース取付口
１８…スイベルジョイント
１９…高圧水パイプ
２０…車輪
２１…蝶番
２２…角度固定用プレート
２３…ゴム
【図１】
0003173791.tif 000003
【図２】
0003173791.tif 000004
【図３】
0003173791.tif 000005
【図４】
0003173791.tif 000006
【図５】
0003173791.tif 000007